(57)【特許請求の範囲】
【請求項１】
板状でなり、開口の内側に位置し、当該開口を介し外部から取り込んだ媒体を収容する媒体収容部の少なくとも一部を外部に開放させる開放方向に移動する内側板状部材と、
板状でなり、上記媒体収容部が開放された際少なくとも上記内側板状部材の一部分と重なるよう上記内側板状部材の外側に配され、上記媒体収容部を開放させる際に上記内側板状部材の外側に接する異物を掬い上げる掬い部が形成された外側板状部材と
を有する媒体入出部。
【請求項２】
上記内側板状部材には、上記媒体収容部を開放させる際、上記掬い部と対向し上記異物を挟みこむ異物移動防止部が形成されている
請求項１に記載の媒体入出部。
【請求項３】
上記内側板状部材には、上記媒体収容部を開放させる際、上記異物における上記掬い部と対向する端部を上記内側板状部材から浮かすよう上記異物を傾ける異物傾け部が形成されている
請求項２に記載の媒体入出部。
【請求項４】
上記外側板状部材には、上記掬い部における上記内側板状部材と対向する位置に、上記掬い部の厚さよりも薄いシート状でなり、上記掬い部よりも突出し上記内側板状部材と接触する異物掬いシートが設けられている
請求項３に記載の媒体入出部。
【請求項５】
上記内側板状部材には、上記異物移動防止部よりも突出し上記掬い部が上記異物を掬い上げる際、上記異物における上記内側板状部材から外側へ離れる方向への移動を規制する異物返し部が設けられている
請求項４に記載の媒体入出部。
【請求項６】
上記内側板状部材は、上記媒体収容部と外部とを連通する開口が形成されたカバーの内側を開放方向に移動することにより上記媒体収容部を外部に開放させ、
上記外側板状部材は、上記カバーと上記内側板状部材との間に位置し、開放方向に移動することにより上記媒体収容部を外部に開放させ、
上記内側板状部材には、上記外側板状部材が開放方向へ移動し上記異物に接する際上記異物の開放方向への移動を規制する異物移動防止部が形成されている
請求項１に記載の媒体入出部。
【請求項７】
上記内側板状部材は、板状でなり上記開口を内側から覆い、上記開口の内側を開放方向に移動することにより上記媒体収容部を外部に開放させる遮断部と、
上記遮断部における開放方向の先端側から外側に向かい立設する上記異物移動防止部と
を有する請求項６に記載の媒体入出部。
【請求項８】
上記遮断部における開放方向の先端側には、上記異物の一部を落下させ上記異物における上記掬い部と対向する端部を上記内側板状部材から浮かすよう上記異物を傾ける異物傾け部が形成されている
請求項７に記載の媒体入出部。
【請求項９】
上記外側板状部材には、上記掬い部における上記開放方向側の端部に、上記掬い部の厚さよりも薄いシート状でなり、上記掬い部よりも開放方向側に突出し上記内側板状部材と接触する異物掬いシートが設けられている
請求項８に記載の媒体入出部。
【請求項１０】
上記内側板状部材における上記異物移動防止部の上部分には、当該異物移動防止部よりも開放方向とは逆方向側に突出し、上記掬い部によって掬い上げられた上記異物における上記内側板状部材から外側へ離れる方向への移動を規制する異物返し部が形成されている
請求項９に記載の媒体入出部。
【請求項１１】
上記掬い部が上記異物を掬い上げる際に、上記カバーにおける開放方向側の端面である異物除去部は、上記異物移動防止部における上記掬い部と対向する端面よりも開放方向側に位置する
請求項１０に記載の媒体入出部。
【請求項１２】
上記外側板状部材は、上記異物除去部により開放方向への移動が規制された上記異物の内側を移動し、上記外側板状部材の上記遮断部における開放方向とは逆方向の端部が上記異物よりも上記開放方向側まで移動することにより上記異物を上記媒体収容部へ落下させる
請求項１１に記載の媒体入出部。
【請求項１３】
板状でなり、開口の内側に位置し、当該開口を介し外部から取り込んだ媒体を収容する媒体収容部の少なくとも一部を外部に開放させる開放方向に移動する内側板状部材と、
板状でなり、上記媒体収容部が開放された際少なくとも上記内側板状部材の一部分と重なるよう上記内側板状部材の外側に配され、上記媒体収容部を開放させる際に上記内側板状部材の外側に接する異物を掬い上げる掬い部が形成された外側板状部材と、
上記媒体収容部により受け付けた上記媒体を搬送する搬送部と
を有する媒体取引装置。
【発明の詳細な説明】
【技術分野】
【０００１】
本発明は、媒体入出部及び媒体取引装置に関し、例えば紙幣等の媒体を投入して所望の取引を行う現金自動預払機（ＡＴＭ：Automatic Teller Machine）等に適用して好適なものである。
【背景技術】
【０００２】
従来、現金自動預払機においては、入金用の紙幣を投入するための箱型の紙幣収容部と、当該紙幣収容部を外部に対し開放又は閉鎖するシャッタが設けられており、入金時は当該シャッタを開け、顧客により紙幣収容部に投入された紙幣を現金自動預払機内に取り込むようにして入金処理を行うようになされている。
【０００３】
このような現金自動預払機では、入金時、顧客により紙幣収容部に誤って硬貨やクリップ等が投入される場合があった。
【０００４】
これに対し、紙幣収容部に投入された硬貨やクリップ等を異物として、異物トレイから現金自動預払機の外部に排出するものが提案されている（例えば、特許文献１参照）。
【先行技術文献】
【特許文献】
【０００５】
【特許文献１】特開平１０−２２２７２１号公報
【発明の概要】
【発明が解決しようとする課題】
【０００６】
このような現金自動預払機においては、閉じたシャッタの上に異物が置かれる場合がある。このような場合にシャッタが開くと、紙幣収容部に異物が入らずに、当該シャッタの移動に伴い現金自動預払機内部に潜り込んでしまい、当該現金自動預払機が故障したり休止したりしてしまい、信頼性が低下してしまうおそれがあった。
【０００７】
本発明は以上の点を考慮してなされたもので、信頼性を格段に高め得る媒体入出部及び媒体取引装置を提案しようとするものである。
【課題を解決するための手段】
【０００８】
かかる課題を解決するため本発明の媒体入出部においては、板状でなり、開口の内側に位置し、当該開口を介し外部から取り込んだ媒体を収容する媒体収容部の少なくとも一部を外部に開放させる開放方向に移動する内側板状部材と、板状でなり、媒体収容部が開放された際少なくとも内側板状部材の一部分と重なるよう内側板状部材の外側に配され、媒体幣収容部を開放させる際に内側板状部材の外側に接する異物を掬い上げる掬い部が形成された外側板状部材とを設けるようにした。
【０００９】
この媒体入出部は、媒体収容部を覆う板状部材に異物が置かれたまま当該板状部材を開いた際、当該異物を板状部材から確実に除去することができる。
【００１０】
また本発明の媒体取引装置においては、板状でなり、開口の内側に位置し、当該開口を介し外部から取り込んだ媒体を収容する媒体収容部の少なくとも一部を外部に開放させる開放方向に移動する内側板状部材と、板状でなり、媒体収容部が開放された際少なくとも内側板状部材の一部分と重なるよう内側板状部材の外側に配され、媒体収容部を開放させる際に内側板状部材の外側に接する異物を掬い上げる掬い部が形成された外側板状部材と、媒体収容部により受け付けた媒体を搬送する搬送部とを設けるようにした。
【００１１】
この媒体取引装置は、媒体収容部を覆う板状部材に異物が置かれたまま当該板状部材を開いた際、当該異物を板状部材から確実に除去することができる。
【発明の効果】
【００１２】
本発明によれば、媒体収容部を覆う板状部材に異物が置かれたまま当該板状部材を開いた際、当該異物を板状部材から確実に除去することができる。かくして本発明は、信頼性を格段に高め得る媒体入出部及び媒体取引装置を実現できる。
【図面の簡単な説明】
【００１３】
【図１】現金自動預払機の構成における前面、右側面及び上面を示す斜視図である。
【図２】紙幣入出金機の構成を示す右側面図である。
【図３】第１の実施の形態による紙幣入出金部の構成を示し、（Ａ）は平面図、（Ｂ）は（Ａ）のＡ−Ａ線断面図である。
【図４】第１の実施の形態によるシャッタ部の構成における背面、右側面及び下面を示す斜視図である。
【図５】閉鎖状態のシャッタ部の構成を示す平面図である。
【図６】一部開放状態のシャッタ部の構成を示す平面図である。
【図７】開放状態のシャッタ部の構成を示す平面図である。
【図８】第１の実施の形態による紙幣入出金部の構成（１）を示す断面図である。
【図９】第１の実施の形態による紙幣入出金部の構成（２）を示す断面図である。
【図１０】第１の実施の形態による紙幣入出金部の構成（３）を示す断面図である。
【図１１】第１の実施の形態による紙幣入出金部の構成（４）を示す断面図である。
【図１２】第２の実施の形態による紙幣入出金部の構成（１）を示す断面図である。
【図１３】第２の実施の形態による紙幣入出金部の構成（２）を示す断面図である。
【図１４】第３の実施の形態による紙幣入出金部の構成を示す断面図である。
【図１５】第４の実施の形態による紙幣入出金部の構成を示す断面図である。
【図１６】第５の実施の形態による紙幣入出金部の構成（１）を示す断面図である。
【図１７】第５の実施の形態による紙幣入出金部の構成（２）を示す断面図である。
【図１８】第６の実施の形態による紙幣入出金部の構成（１）を示す断面図である。
【図１９】第６の実施の形態による紙幣入出金部の構成（２）を示す断面図である。
【図２０】第７の実施の形態による紙幣入出金部の構成を示し、（Ａ）は平面図、（Ｂ）は（Ａ）のＡ−Ａ線断面図である。
【図２１】第７の実施の形態による紙幣入出金部の構成（１）を示す断面図である。
【図２２】第７の実施の形態による紙幣入出金部の構成（２）を示す断面図である。
【図２３】第７の実施の形態による紙幣入出金部の構成（３）を示す断面図である。
【図２４】第７の実施の形態による紙幣入出金部の構成（４）を示す断面図である。
【図２５】第８の実施の形態による紙幣入出金部の構成（１）を示す断面図である。
【図２６】第８の実施の形態による紙幣入出金部の構成（２）を示す断面図である。
【図２７】第９の実施の形態による紙幣入出金部の構成を示す断面図である。
【図２８】第１０の実施の形態による紙幣入出金部の構成を示す断面図である。
【図２９】第１１の実施の形態による紙幣入出金部の構成（１）を示す断面図である。
【図３０】第１１の実施の形態による紙幣入出金部の構成（２）を示す断面図である。
【図３１】第１２の実施の形態による紙幣入出金部の構成（１）を示す断面図である。
【図３２】第１２の実施の形態による紙幣入出金部の構成（２）を示す断面図である。
【発明を実施するための形態】
【００１４】
以下、発明を実施するための形態（以下実施の形態とする）について、図面を用いて説明する。
【００１５】
＜１．第１の実施の形態＞
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１６】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００１７】
接客部３は、カード入出口４、紙幣入出金部５、操作表示部６、テンキー７、及びレシート発行口８が設けられており、顧客との間で現金や通帳等を直接やり取りすると共に、取引に関する情報の通知や操作指示の受付を行うようになされている。
【００１８】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００１９】
紙幣入出金部５は、顧客が入金する紙幣が投入されると共に、顧客へ出金する紙幣が排出される部分である。
【００２０】
操作表示部６は、取引に際して操作画面を表示するＬＣＤ（Liquid Crystal Display）と、取引の種類の選択、暗証番号や取引金額等を入力するタッチパネルとが一体化されている。
【００２１】
テンキー７は、「０」〜「９」の数字等の入力を受け付ける物理キーであり、暗証番号や取引金額等の入力操作時に用いられるようになされている。
【００２２】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２３】
紙幣入出金部５の下方には、当該紙幣入出金部５に硬貨やクリップ等の異物が投入された際、当該異物を顧客に返却する返却口１９が設けられている。
【００２４】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２５】
現金自動預払機１は、係る構成のもと、操作表示部６に操作画像を表示すると共に、顧客による操作表示部６の表面へのタッチ操作に応じて操作画像を適宜切り換えて表示する。
【００２６】
これにより現金自動預払機１は、顧客に操作画面を介して、入金や出金等の所望の取引の手順を案内する。
【００２７】
そして現金自動預払機１は、顧客に対し、その案内に従ってカード入出口４にカードを挿入させ、また紙幣入出部５に入金用の紙幣を投入させる。
【００２８】
また現金自動預払機１は、顧客に対し、その案内に従ってレシート発行口８から排出したレシートやカード入出口４から排出したカードを受け取らせ、紙幣入出金部５から出金用の紙幣を取り出させる。
【００２９】
［１−２．紙幣入出金機の内部構成］
筐体２内には、現金自動預払機１全体を統括制御する主制御部９や、紙幣に関する種々の処理を行う紙幣入出金機１０等が設けられている。
【００３０】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００３１】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３２】
紙幣入出金機１０は、図２に側面図を示すように、紙幣に関する種々の処理を行う複数の部分がフレームに固定された構成となっている。また紙幣入出金機１０の各部分は、紙幣制御部１１により制御されるようになされている。
【００３３】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３４】
また紙幣制御部１１は、内部にＲＡＭ及びフラッシュメモリ等でなる記憶部１１Ａ（図１）を有しており、この記憶部１１Ａに種々の情報を記憶させるようになされている。
【００３５】
紙幣制御部１１は、例えば顧客が紙幣を入金する入金取引を行う場合、操作表示部６を介して所定の操作入力を受け付けた後、紙幣入出金部５のシャッタ部２２を開き、紙幣収容部２３内へ紙幣を投入させる。
【００３６】
紙幣入出金部５は、紙幣が投入されると、シャッタ部２２を閉じて紙幣収容部２３から紙幣を１枚ずつ繰り出し、搬送部１３へ受け渡す。搬送部１３は、長方形の紙葉状に構成された紙幣を短辺方向に沿って進行させ、鑑別部１４へ搬送する。
【００３７】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００３８】
このとき搬送部１３は、鑑別部１４において正常紙幣と鑑別された紙幣を一時保留部１５へ搬送する等して一時的に保留させる一方、取引すべきでないと鑑別されたリジェクト紙幣を紙幣入出金部５へ搬送して顧客に返却する。
【００３９】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４０】
そして紙幣制御部１１は、紙幣の損傷の程度が大きければ、これを再利用すべきでない紙幣として搬送部１３によりリジェクト庫１６へ搬送して収納させ、損傷の程度が小さければ、これを再利用すべき紙幣として搬送部１３により鑑別部１４に搬送し、当該鑑別部１４により再び紙幣を鑑別する。
【００４１】
搬送部１３は、鑑別部１４において正常紙幣と鑑別された紙幣を、その金種に応じた紙幣カセット１７に収納させる一方、取引すべきでないと鑑別された紙幣を回収庫１８に搬送する。
【００４２】
ところで、紙幣収容部２３は一面が開口する直方体の箱型形状の下面に所定の孔部を有し、紙幣入出金機１０において取り扱われる紙幣を当該紙幣収容部２３内部に保持すると共に、異物をすり抜けさせ落下させる機構となっている。
【００４３】
また紙幣収容部２３の下部には、当該紙幣収容部２３を一端とし他端に返却口１９が形成され、一端から他端へ向けて異物を搬送する異物搬送路２４が構成されている。
【００４４】
紙幣入出金機１０は、紙幣収容部２３内に落下した異物を、異物搬送路２４を介し返却口１９から顧客へ返却する。
【００４５】
［１−３．紙幣入出金部の構成］
図３に示すように、紙幣入出金部５は主に、化粧カバー２６、上部シャッタ２８、下部シャッタ３０及び紙幣収容部２３により構成されている。
【００４６】
化粧カバー２６は、所定の厚みを有し水平方向に延びる板状でなり、紙幣入出金機１０の内部構造を外部から視認できないよう構成されている。
【００４７】
化粧カバー２６には、平面視において長方形状の入出金口２０が、当該化粧カバー２６の面方向（水平方向）に対し直交して上下方向に穿設されている。
【００４８】
また化粧カバー２６の入出金口２０の下部には、断面コ字形状であり回動可能な紙幣収容部２３が設けられている。
【００４９】
入出金口２０と紙幣収容部２６との間には、下部シャッタ３０と、当該下部シャッタ３０の上部に位置する上部シャッタ２８とが、いわゆる２重シャッタとなり当該入出金口２０を下側から覆うように設けられている。
【００５０】
上部シャッタ２８及び下部シャッタ３０は所定の厚みを有する金属板が板金加工された形状を有し、前後方向に移動することにより、紙幣収容部２３を紙幣入出金機１０の外部に対し開放又は閉塞させる。
【００５１】
図４に示すように、上部シャッタ２８及び下部シャッタ３０は、全体として前後左右方向に広がる平面部分の右端部及び左端部が下方向に直角に屈曲した後に、当該右端部が右方向に屈曲した形状となっている。
【００５２】
下部シャッタ３０の左側端部には溝部６０Ｌが前端から後端まで前後方向に沿って穿設されている。
【００５３】
上部シャッタ２８の左側端部には、溝部６０Ｌの前後方向の長さのほぼ半分の間隔を空けて、摺動軸６２Ｌｆ及び６２Ｌｂが当該溝部６０Ｌを貫通するよう右方向に向かって突設している。
【００５４】
下部シャッタ３０の右側端部には溝部６０Ｒが前端から後端まで前後方向に沿って穿設されている。
【００５５】
上部シャッタ２８の右側端部には、溝部６０Ｒの前後方向の長さのほぼ半分の間隔を空けて、摺動軸６２Ｒｆ及び６２Ｒｂが当該溝部６０Ｒを貫通するよう下方向に向かって突設している。
【００５６】
また、上部シャッタ２８における摺動軸６２Ｒｆ及び６２Ｒｂの右側には、左右方向に沿って刻設された溝が当該上部シャッタ２８の前端から後端まで前後方向に並んだラックギア５８が形成されている。
【００５７】
上部シャッタ２８におけるラックギア５８の裏側である上側には、前後方向に貫通する孔部が形成されたシャフト摺動部６８が、前後方向に延設するシャフト６６に沿って摺動可能に設けられている。
【００５８】
フレーム４４には、側面視において右回り及び左回りに駆動力を発生するシャッタモータ４６が、上部シャッタ２８及び下部シャッタ３０よりも下方に取り付けられている。
【００５９】
シャッタモータ４６には、円筒形状でなるモータギア４８が側面視において回転自在に取り付けられる。
【００６０】
モータギア４８の前方には、円筒形状でなるアイドルギア５０が、当該モータギア４８と噛み合うように側面視において回転軸を中心に回転自在にフレーム４４に取り付けられている。
【００６１】
アイドルギア５０の前方には、円筒形状でなるカムギア５２が当該アイドルギア５０と噛み合うように側面視において回転軸を中心に回転自在にフレーム４４に取り付けられている。
【００６２】
カムギア５２の左側には、円筒形状でなり当該カムギア５２と同一の中心軸を中心に回転自在なピニオンギア５４が、上部シャッタ２８におけるラックギア５８と噛み合うように設けられている。
【００６３】
かかる構成において、シャッタモータ４６が回転すると、この回転による駆動力は、モータギア４８、アイドルギア５０、カムギア５２及びピニオンギア５４を順次伝達し、ラックギア５８において前後方向の駆動力に変換され、上部シャッタ２８を前後移動させる。
【００６４】
紙幣収容部２３が外部に対し閉鎖している閉鎖状態では、図５に示すように、摺動軸６２Ｒｆが溝部６０Ｒの前端部である突当部６４ｆに当接している。
【００６５】
この状態から紙幣収容部２３を外部に開放させる際、摺動軸６２Ｌｆ及び６２Ｌｂが溝部６０Ｌを、摺動軸６２Ｒｆ及び６２Ｒｂが溝部６０Ｒをそれぞれ後方向に摺動しつつ、上部シャッタ２８が後方向に移動する。以下では、紙幣収容部２３を外部に開放させる際に上部シャッタ２８及び下部シャッタ３０が移動する方向である後方向を、開放方向とも呼ぶ。
【００６６】
続いて図６に示すように、摺動軸６２Ｒｂが溝部６０Ｒの後端部である突当部６４ｂに当接することにより、紙幣収容部２３は、その一部が外部に開放した一部開放状態となる。
【００６７】
上部シャッタ２８は、引き続きシャッタモータ４６から開放方向の駆動力を伝達され、下部シャッタ３０と一体になりつつ、シャフト摺動部６８がシャフト６６を摺動することにより、当該下部シャッタ３０を開放方向に移動させる。これにより図７に示すように、紙幣収容部２３が外部に開放された開放状態となる。
【００６８】
一方紙幣収容部２３を閉鎖させる際、図７に示す開放状態から上部シャッタ２８が前方向に移動し、摺動軸６２Ｒｆが突当部６４ｆに当接する。以下では、紙幣収容部２３を外部から閉鎖させる際に上部シャッタ２８及び下部シャッタ３０が移動する方向である前方向を、閉鎖方向とも呼ぶ。
【００６９】
上部シャッタ２８は、引き続きシャッタモータ４６から閉鎖方向の駆動力を伝達され、下部シャッタ３０と一体になりつつ、シャフト摺動部６８がシャフト６６を摺動することにより、当該下部シャッタ３０を閉鎖方向に移動させる。これにより図５に示すように、紙幣収容部２３が閉鎖状態となる。
【００７０】
このようにシャッタ部２２は、シャッタモータ４６の駆動力で上部シャッタ２８及び下部シャッタ３０をスライドさせることにより、紙幣収容部２３を開放又は閉鎖させる。
【００７１】
これにより紙幣入出金機１０は、シャッタモータ４６の１つの駆動力のみにより、紙幣収容部２３を開放又は閉鎖させることができる。
【００７２】
一方上述したように、入出金口２０（図３）は化粧カバー２６の面方向に対し直交して穿設されている。ここで、入出金口２０における後端の平面を異物除去部４２と呼ぶ。
【００７３】
また下部シャッタ３０は、下遮断部３２、異物移動防止部３４及び後端部３６により構成されている。
【００７４】
下遮断部３２は、板状でなり前後左右方向に平面形状に延び、入出金口２０の一部分である後側部分を遮断している。下遮断部３２の後端からは、板状でなる異物移動防止部３４が当該下遮断部３２から上方向に向かって垂直に立設している。
【００７５】
異物移動防止部３４の上端からは、板状でなる後端部３６が当該異物移動防止部３４から後方向に向かって延びている。
【００７６】
後端部３６の上面と化粧カバー２６の下側面との間には間隙が形成されることにより、下部シャッタ３０は当該化粧カバー２６に接触することなく前後方向に移動することができる。
【００７７】
また上部シャッタ２８は、上遮断部３８及び掬い部４０により構成されている。上遮断部３８は、板状でなり前後左右方向に平面形状に延び、入出金口２０の一部分である前側部分を遮断している。
【００７８】
上遮断部３８の後端からは、下部シャッタ３０に向かって下方向に屈曲すると共に、上面が下方向に削れることにより厚みが徐々に薄くなる掬い部４０が形成されている。この掬い部４０の下端と下遮断部３２の上面との間隔は、約０．５ｍｍとなっている。
【００７９】
このように掬い部４０と下遮断部３２との間には僅かな間隙が形成されることにより、掬い部４０は下遮断部３２と擦れることなく前後方向に移動することができる。
【００８０】
また上遮断部３８の上面と化粧カバー２６の下側面との間には間隙が形成されることにより、上部シャッタ２８は当該化粧カバー２６に接触することなく前後方向に移動することができる。
【００８１】
［１−４．動作及び効果］
かかる構成において、図８に示すように、閉鎖状態において異物ＦＯとして硬貨が下部シャッタ３０の上面に載置された場合について説明する。
【００８２】
上部シャッタ２８が開放方向に移動すると、掬い部４０が異物ＦＯを後方に押していく。異物ＦＯは異物移動防止部３４に当接し、後方への移動が規制される。
【００８３】
さらに上部シャッタ２８が開放方向に移動すると、図９に示すように、掬い部４０が、下部シャッタ３０と、後方への移動が規制された異物ＦＯとの間に入り込み、異物ＦＯの前端を掬い上げる。
【００８４】
続いて図１０に示すように、上部シャッタ２８は下部シャッタ３０と共に開放方向へ移動する。このとき異物ＦＯは掬い部４０によって掬い上げられつつ上部シャッタ２８と共に後方へ移動し、化粧カバー２６の異物除去部４２に当接することにより、後方への移動が規制される。
【００８５】
上部シャッタ２８は、後方への移動が規制されている異物ＦＯの下側を滑りながら開放方向に移動する。図１１に示すように上部シャッタ２８及び下部シャッタ３０が紙幣収容部２３を開放させる開放位置へ移動すると、上部シャッタ２８の前端部は異物除去部４２よりも前方へ位置する。
【００８６】
これにより異物ＦＯは、下側から支持されなくなるため、紙幣収容部２３へ落下する。紙幣収容部２３へ落下した異物ＦＯは、異物搬送路２４（図２）を介し、返却口１９へ排出される。
【００８７】
以上の構成において、上部シャッタ２８には、下部シャッタ３０に置かれた異物ＦＯを掬い上げる掬い部４０を設け、下部シャッタ３０には、異物ＦＯの開放方向への移動を防止する異物移動防止部３４を設けるようにした。
【００８８】
これにより紙幣入出金部５は、異物ＦＯを上部シャッタ２８の上側に確実に掬い上げ、異物ＦＯの移動を規制しつつ当該上部シャッタ２８を移動させ、当該異物ＦＯを紙幣収容部２３内部に落下させることができる。
【００８９】
かくして紙幣入出金部５は、紙幣収容部２３を覆う下部シャッタ３０に異物ＦＯが置かれたまま上部シャッタ２８及び下部シャッタ３０を開いた際、当該異物ＦＯを下部シャッタ３０から確実に除去することができ、信頼性を格段に高めることができる。
【００９０】
また紙幣入出金部５は、特に異物ＦＯが硬貨であった場合に、顧客との現金トラブルを回避することができる。
【００９１】
また下部シャッタ３０において、下遮断部３２から異物移動防止部３４を向かって垂直に立設するようにした。
【００９２】
このため紙幣入出金部５は、例えば異物移動防止部３４が下遮断部３２に対し垂直よりも後方に傾くように立設している場合と比べて、異物ＦＯが上部シャッタ２８に押されて下部シャッタ３０の上から後方（すなわち紙幣収容部２３以外）に落ちてしまうことを防止できる。
【００９３】
また紙幣入出金部５においては、図９に示したように、掬い部４０が異物ＦＯを掬い上げる際に異物除去部４２が異物移動防止部３４よりも開放方向の先端側（後側）に位置するようにした。
【００９４】
これにより紙幣入出金部５は、掬い部４０によって掬い上げられた異物ＦＯが上部シャッタ２８及び下部シャッタ３０と共にさらに後方に移動した状態において、上部シャッタ２８に乗り上げた異物ＦＯの後方への移動を規制して、紙幣収容部２３に落下させることができる。
【００９５】
以上の構成によれば、内側板状部材としての下部シャッタ３０は、紙幣収容部２３と外部とを連通する入出金口２０が形成された化粧カバー２６の内側を開放方向に移動することにより、外部から紙幣を取り込む紙幣収容部２３を開放させる。外側板状部材としての上部シャッタ２８は、紙幣収容部２３が開放された際少なくとも下部シャッタ３０の一部分と重なるよう化粧カバー２６と上部シャッタ２８との間に位置し、開放方向に移動する際下部シャッタ３０に載置された異物ＦＯを掬い上げる掬い部４０を有する。また下部シャッタ３０には、上部シャッタ２８が開放方向へ移動し異物ＦＯに接する際当該異物ＦＯの開放方向への移動を規制する異物移動防止部３４を形成するようにした。
【００９６】
これにより紙幣収容部２３を覆う下部シャッタ３０に異物ＦＯが置かれたまま上部シャッタ２８及び下部シャッタ３０を開いた際、当該異物ＦＯを下部シャッタ３０から確実に除去することができる。
【００９７】
＜２．第２の実施の形態＞
図８との対応部分に同一符号を付した図１２に示す第２の実施の形態による紙幣入出金部１０５は、第１の実施の形態による紙幣入出金部５と比べて、下部シャッタ１３０が下部シャッタ３０と異なっているものの、それ以外は同様に構成されている。
【００９８】
下部シャッタ１３０の下遮断部１３２における後端には、左端から右端に亘って異物傾け凹部７０が凹設されている。
【００９９】
異物傾け凹部７０は、前後方向の幅Ｗ１が、紙幣入出金機１０において取り扱われる硬貨のうち、例えば５００円玉等の最も外径が大きい硬貨（以下、最大外径硬貨とも呼ぶ）の半径以上であり、且つ例えば１円玉等の最も外径が小さい硬貨（以下、最小外径硬貨とも呼ぶ）の外径よりも小さく構成されている。また、異物傾け凹部７０の上下方向の深さは、約１ｍｍとなっている。
【０１００】
かかる構成において、異物ＦＯとして硬貨が下部シャッタ１３０の上面に載置され、上部シャッタ２８が開放方向に移動すると、掬い部４０が異物ＦＯを後方に押していく。
【０１０１】
このため異物ＦＯは、後端が異物傾け凹部７０に落ちると共に異物移動防止部３４によって後方への移動が規制されることにより、前端と下部シャッタ１３０との間に間隙ができるように全体が傾く。
【０１０２】
続いて上部シャッタ２８の掬い部４０は、図１３に示すように異物ＦＯと下部シャッタ１３０との間に入り込み、異物ＦＯの前端を掬い上げる。
【０１０３】
その後は紙幣入出金部５（図１０及び図１１）と同様に、上部シャッタ２８及び下部シャッタ１３０が開放方向へ移動し、異物除去部４２により後方への移動が規制された異物ＦＯが紙幣収容部２３に落下する。
【０１０４】
このように紙幣入出金部１０５においては、下部シャッタ１３０の後端に異物傾け凹部７０を設けると共に当該異物傾け凹部７０の後端から垂直に立設する異物移動防止部３４を設けるようにした。
【０１０５】
これにより紙幣入出金部１０５は、異物ＦＯの前端と下部シャッタ１３０との間に間隙ができるように当該異物ＦＯを傾けることができるため、掬い部４０を異物ＦＯの下に潜り込ませやすくすることができる。
【０１０６】
かくして紙幣入出金部１０５は、異物ＦＯを確実に上部シャッタ２８の上面へ掬い上げることにより、より確実に異物ＦＯを紙幣収容部２３に収めることができる。
【０１０７】
ところで、仮に幅Ｗ１が最大外径硬貨の半径よりも小さい場合、異物ＦＯが当該最大外径硬貨であった際、当該異物ＦＯの後端が異物傾け凹部７０に落ちず、全体が傾かない可能性がある。
【０１０８】
また仮に幅Ｗ１が最小外径硬貨の外径以上であった場合、異物ＦＯが当該最小外径硬貨であった際、当該異物ＦＯが異物傾け凹部７０に全て落下してしまう可能性がある。
【０１０９】
これに対し紙幣入出金部１０５は、異物傾け凹部７０の幅Ｗ１を、最大外径硬貨の半径以上であり、且つ最小外径硬貨の外径よりも小さく構成するようにした。
【０１１０】
このため紙幣入出金部１０５は、紙幣入出金機１０において取り扱われる硬貨のうち、最小外径硬貨から最大外径硬貨までの外径を有する硬貨が異物ＦＯとして下部シャッタ１３０に載置された場合、当該異物ＦＯの後端のみを異物傾け凹部７０に落としつつ、前端を下遮断部１３２から浮かすことができる。
【０１１１】
さらに本実施の形態においては、下遮断部１３２の後端をエンドミル等の切削工具で削ることにより異物傾け凹部７０を形成するため、例えば下遮断部１３２の後端を傾斜させるような加工を施すよりも、容易に製造することができる。
【０１１２】
その他第２の実施の形態による紙幣入出金部１０５は、第１の実施の形態による紙幣入出金部５とほぼ同様の作用効果を奏し得る。
【０１１３】
＜３．第３の実施の形態＞
図８の対応部分に同一符号を付した図１４に示す第３の実施の形態による紙幣入出金部２０５は、第１の実施の形態による紙幣入出金部５と比べて、下部シャッタ２３０が下部シャッタ３０と異なっているものの、それ以外は同様に構成されている。
【０１１４】
下部シャッタ２３０の下遮断部２３２の上面には、後端における前後方向に所定の幅を空けて左端から右端に亘る部分を除いて、平面状でなる異物傾け凸部７１が形成されている。
【０１１５】
このため下遮断部２３２における後端には、左端から右端に亘って異物傾け凸部７１よりも凹んだ凹部７３が形成されている。
【０１１６】
凹部７３は、異物傾け凹部７０（図１２）と同様に、前後方向の幅Ｗ２が、最大外径硬貨の半径以上であり、且つ最小外径硬貨の外径よりも小さく構成されている。
【０１１７】
これにより紙幣入出金部２０５は、異物ＦＯの前端と下部シャッタ２３０との間に間隙ができるように当該異物ＦＯを傾けることができるため、掬い部４０を異物ＦＯの下に潜り込ませやすくすることができる。
【０１１８】
かくして紙幣入出金部２０５は、異物ＦＯを確実に上部シャッタ２８の上面へ掬い上げることにより、より確実に異物ＦＯを紙幣収容部２３に収めることができる。
【０１１９】
その他第３の実施の形態による紙幣入出金部２０５は、第２の実施の形態による紙幣入出金部１０５とほぼ同様の作用効果を奏し得る。
【０１２０】
＜４．第４の実施の形態＞
図８との対応部分に同一符号を付した図１５に示す第４の実施の形態による紙幣入出金部３０５は、第１の実施の形態による紙幣入出金部５と比べて、下部シャッタ３３０が下部シャッタ３０と異なっているものの、それ以外は同様に構成されている。
【０１２１】
下部シャッタ３３０の下遮断部３３２における後端には、後方に向かって下方へ傾斜するよう削れた異物傾け傾斜部７２が左端から右端に亘って形成されている。
【０１２２】
これにより紙幣入出金部３０５は、異物ＦＯの前端と下部シャッタ３３０との間に間隙ができるように当該異物ＦＯを傾けることができるため、掬い部４０を異物ＦＯの下に潜り込ませやすくすることができる。
【０１２３】
かくして紙幣入出金部３０５は、異物ＦＯを確実に上部シャッタ２８の上面へ掬い上げることにより、より確実に異物ＦＯを紙幣収容部２３に収めることができる。
【０１２４】
その他第４の実施の形態による紙幣入出金部３０５は、第２の実施の形態による紙幣入出金部１０５とほぼ同様の作用効果を奏し得る。
【０１２５】
＜５．第５の実施の形態＞
図１２との対応部分に同一符号を付した図１６に示す第５の実施の形態による紙幣入出金部４０５は、第２の実施の形態による紙幣入出金部１０５と比べて、下部シャッタ４３０が下部シャッタ１３０と異なっているものの、それ以外は同様に構成されている。
【０１２６】
下部シャッタ４３０の後端部３６において化粧カバー２６の下側面と対向する上面には、金属製の薄い板状でなる異物返し部７４が、異物移動防止部３４の前側面よりも前側に突出するように、左端から右端に亘って固定されている。
【０１２７】
かかる構成において、異物ＦＯとして硬貨が下部シャッタ４３０の上面に載置され、上部シャッタ２８が開放方向に移動すると、掬い部４０が異物ＦＯを後方に押していく。
【０１２８】
続いて図１６に示すように、上部シャッタ２８の掬い部４０は、異物ＦＯと下部シャッタ４３０との間に入り込み、異物ＦＯの前端を掬い上げる。
【０１２９】
このとき異物ＦＯは、異物返し部７４に接触し上方への移動が規制され、上部シャッタ２８に乗り上げる。
【０１３０】
その後は紙幣入出金部５（図１０及び図１１）と同様に、上部シャッタ２８及び下部シャッタ４３０が開放方向へ移動し、異物除去部４２により後方への移動が規制された異物ＦＯは、紙幣収容部２３に落下する。
【０１３１】
このように紙幣入出金部４０５においては、下部シャッタ４３０の後端に異物傾け凹部７０を設けると共に当該異物傾け凹部７０の後端から垂直に立設する異物移動防止部３４を設け、さらに当該異物移動防止部３４よりも前方に突出する異物返し部７４を設けるようにした。
【０１３２】
ここで、下部シャッタ４３０が化粧カバー２６に接触せずに前後方向に移動するためには、紙幣入出金機１０内部の部品の公差の関係上、下部シャッタ４３０と化粧カバー２６との隙間は、２．５ｍｍ程度は必要となる。
【０１３３】
このため、異物返し部７４がない場合、紙幣入出金機１０を組み立てる際に必要となるそのような隙間に、異物ＦＯが入り込んでしまう可能性がある。
【０１３４】
これに対し本実施の形態においては、異物返し部７４を設けることにより、異物ＦＯが下部シャッタ４３０と化粧カバー２６との隙間に入り込んでしまうことを防止できる。
【０１３５】
かくして紙幣入出金部４０５は、異物ＦＯを確実に上部シャッタ２８の上面へ掬い上げることにより、より確実に異物ＦＯを紙幣収容部２３に収めることができる。
【０１３６】
その他第５の実施の形態による紙幣入出金部４０５は、第２の実施の形態による紙幣入出金部１０５とほぼ同様の作用効果を奏し得る。
【０１３７】
＜６．第６の実施の形態＞
図１６との対応部分に同一符号を付した図１８に示す第６の実施の形態による紙幣入出金部５０５は、第５の実施の形態による紙幣入出金部４０５と比べて、上部シャッタ５２８が上部シャッタ２８と異なっているものの、それ以外は同様に構成されている。
【０１３８】
上部シャッタ５２８の掬い部４０において下部シャッタ４３０と対向する下面には、例えばマイラー（登録商標）フィルム等の樹脂フィルムでなり当該掬い部４０よりも十分に薄い板状でなる異物掬いシート７８が、当該掬い部４０の後端よりも後方に突出するように、左端から右端に亘って例えば両面テープにより固定されている。また、異物掬いシート７８の後端は、下部シャッタ４３０の下遮断部１３２の上面と接触している。
【０１３９】
かかる構成において、異物ＦＯとして硬貨が下部シャッタ４３０の上面に載置され、上部シャッタ５２８が開放方向に移動すると、異物掬いシート７８が、掬い部４０よりも先に異物ＦＯと下部シャッタ４３０との間に潜り込みつつ、当該掬い部４０が異物ＦＯを後方に押していく。
【０１４０】
続いて掬い部４０が、異物傾け凹部７０に後端が落ちて傾いた異物ＦＯを掬い上げる。
【０１４１】
異物ＦＯは、異物返し部７４に接触して上部シャッタ５２８に乗り上げ、その後は紙幣入出金部５（図１０及び図１１）と同様に、上部シャッタ５２８及び下部シャッタ４３０が開放方向へ移動し、異物ＦＯは、紙幣収容部２３に落下する。
【０１４２】
このように紙幣入出金部５０５は、掬い部４０よりも十分に薄い異物掬いシート７８を、下部シャッタ４３０の下遮断部１３２の上面に対し摺動させつつ、掬い部４０よりも先に異物ＦＯに接触させるようにした。
【０１４３】
このため紙幣入出金部５０５は、異物ＦＯを確実に上部シャッタ５２８の上面へ掬い上げることにより、より確実に異物ＦＯを紙幣収容部２３に収めることができる。
【０１４４】
ところで、異物掬いシート７８を設けずに、掬い部４０の後端を可能な限り薄く削り、下遮断部１３２の上面と摺動させながら移動させることも考えられる。
【０１４５】
しかしながらその場合、掬い部４０と下遮断部１３２とは互いに金属製であるため、掬い部４０は、その移動に伴い下遮断部１３２に傷をつけ徐々に削っていってしまう。
【０１４６】
これに対し本実施の形態においては、金属製の下遮断部１３２よりも十分に柔らかい材質である樹脂フィルムを異物掬いシート７８として用いるようにした。これにより異物掬いシート７８は、下遮断部１３２を徐々に削ってしまうことがない。
【０１４７】
一方異物掬いシート７８は徐々に削れていくが、当該異物掬いシート７８は掬い部４０に両面テープで接着されているだけであるため、作業者が容易に交換できる。
【０１４８】
また異物掬いシート７８は、異物ＦＯである硬貨よりも十分に柔らかい材質であり、薄く形成されているため、当該硬貨の下に容易に潜り込むことができる。
【０１４９】
その他第６の実施の形態による紙幣入出金部５０５は、第５の実施の形態による紙幣入出金部４０５とほぼ同様の作用効果を奏し得る。
【０１５０】
＜７．第７の実施の形態＞
［７−１．紙幣入出金部の構成］
図３との対応部分に同一符号を付した図２０に示す第７の実施の形態による紙幣入出金部６０５は、第１の実施の形態による紙幣入出金部５と比べて、１枚のシャッタ６８０が設けられている点が異なっているものの、それ以外は同様に構成されている。
【０１５１】
紙幣入出金部６０５は主に、化粧カバー６２６、シャッタ６８０及び紙幣収容部２３により構成されている。
【０１５２】
入出金口２０と紙幣収容部２３との間には、シャッタ６８０が当該入出金口２０を下側から覆うように設けられている。
【０１５３】
シャッタ６８０は金属板が板金加工された形状を有し、後方向（開放方向）に移動することにより紙幣収容部２３を開放させると共に、前方向（閉鎖方向）に移動することにより紙幣収容部２３を閉鎖させる。
【０１５４】
また、シャッタ６８０は、下部シャッタ３０（図３）を前後反転させたような形状でなり、遮断部８２、異物移動防止部６３４及び前端部８６により構成されている。
【０１５５】
遮断部８２は、板状でなり前後左右方向に平面形状に延び、入出金口２０を下側から遮断している。遮断部８２の前端からは、板状でなる異物移動防止部６３４が当該遮断部８２から上方向に向かって垂直に立設している。
【０１５６】
異物移動防止部６３４の上端からは、板状でなる前端部８６が当該異物移動防止部６３４から前方向に向かって延びている。
【０１５７】
前端部８６の上面と化粧カバー６２６の下側面との間には間隙が形成されることにより、シャッタ６８０は当該化粧カバー６２６に接触することなく前後方向に移動することができる。
【０１５８】
化粧カバー６２６の入出金口２０における後端には、シャッタ６８０に向かって下方向に屈曲すると共に、上面が下方向に削れることにより厚みが徐々に薄くなる掬い部８８が形成されている。掬い部８８と遮断部８２との間隔は、約０．５ｍｍとなっている。
【０１５９】
このように掬い部８８と遮断部８２との間には僅かな間隙が形成されることにより、シャッタ６８０の遮断部８２は、化粧カバー６２６の掬い部８８と擦れることなく前後方向に移動することができる。
【０１６０】
［７−２．動作及び効果］
かかる構成において、図２１に示すように、閉鎖状態において、異物ＦＯとして硬貨がシャッタ６８０の上面に載置された場合について説明する。
【０１６１】
シャッタ６８０が開放方向に移動すると、図２２に示すように掬い部８８が異物ＦＯの後端に接することにより、当該異物ＦＯの開放方向への移動を規制する。
【０１６２】
さらにシャッタ６８０が開放方向に移動すると、図２３に示すように、異物ＦＯの前端が異物移動防止部６３４に接する。これにより異物移動防止部６３４と掬い部８８とで異物ＦＯを前後から挟み込み、掬い部８８が異物ＦＯの後端を掬い上げる。
【０１６３】
引き続きシャッタ６８０が開放方向に移動すると、掬い部８８に掬い上げられた異物ＦＯは、異物移動防止部６３４により後方へ押され、図２４に示すように化粧カバー６２６の上へ移動する。これにより異物ＦＯは、紙幣収容部２３内に落とされることなくシャッタ６８０の上から除去される。
【０１６４】
以上の構成において、化粧カバー６２６の入出金口２０における後端には、シャッタ６８０に置かれた異物ＦＯを掬い上げる掬い部８８を設け、シャッタ６８０の前端には、異物ＦＯの後方への移動を防止する異物移動防止部６３４を設けるようにした。
【０１６５】
これにより紙幣入出金部６０５は、紙幣収容部２３を下側から覆うシャッタ６８０に異物ＦＯが置かれたままシャッタ６８０を開いた際、異物ＦＯを化粧カバー６２６の上に掬い上げ、当該異物ＦＯをシャッタ６８０から除去することができ、信頼性を格段に高めることができる。
【０１６６】
ところで紙幣入出金機１０においては、異物ＦＯの形状によっては、当該異物ＦＯが紙幣収容部２３内や異物搬送路２４の途中に引っかかってしまい、返却口１９から正常に顧客へ返却されない可能性がある。
【０１６７】
これに対し本実施の形態においては、異物ＦＯを紙幣収容部２３内に落とすことなく、化粧カバー６２６の上に移動させるようにした。
【０１６８】
これにより紙幣入出金部６０５は、化粧カバー６２６の上に置かれた異物ＦＯを、顧客に直接取らせることができ、異物ＦＯをより確実に顧客に返却することができる。
【０１６９】
また、異物ＦＯが化粧カバー６２６とシャッタ６８０との隙間から紙幣入出金機１０の意図しない部分へ落下してしまうことを防ぐために、化粧カバー６２６の下側面に、当該化粧カバー６２６とシャッタ６８０との隙間を埋める潜り込み防止部材を設けることも考えられる。
【０１７０】
これに対し本実施の形態においては、紙幣入出金機１０の意図しない部分へ落下してしまうことを防ぐだけでなく、化粧カバー６２６の上に異物ＦＯを移動させるようにした。
【０１７１】
このように紙幣入出金部６０５は、積極的に異物ＦＯをシャッタ６８０の上から化粧カバー６２６の上に除去することにより、異物ＦＯをより確実に顧客に返却することができる。
【０１７２】
以上の構成によれば、内側板状部材としてのシャッタ６８０は、紙幣収容部２３と外部とを連通する入出金口２０が形成された化粧カバー６２６の内側を開放方向に移動することにより、外部から紙幣を取り込む紙幣収容部２３を開放させる。外側板状部材としての化粧カバー６２６は、紙幣収容部２３が開放された際少なくともシャッタ６８０の一部分と重なるようシャッタ６８０の外側に位置し、開放方向に移動する際シャッタ６８０に載置された異物ＦＯを掬い上げる掬い部８８を有する。またシャッタ６８０には、当該シャッタ６８０が開放方向へ移動し異物ＦＯに接する際当該異物ＦＯの開放方向への移動を規制する異物移動防止部６３４を形成するようにした。
【０１７３】
これにより紙幣収容部２３を覆うシャッタ６８０に異物ＦＯが置かれたままシャッタ６８０を開いた際、当該異物ＦＯをシャッタ６８０から化粧カバー６２６に確実に除去することができる。
【０１７４】
＜８．第８の実施の形態＞
図２１との対応部分に同一符号を付した図２５に示す第８の実施の形態による紙幣入出金部７０５は、第７の実施の形態による紙幣入出金部６０５と比べて、シャッタ７８０がシャッタ６８０と異なっているものの、それ以外は同様に構成されている。
【０１７５】
シャッタ７８０の遮断部７８２における前端には、左端から右端に亘って異物傾け凹部７７０が凹設されている。
【０１７６】
異物傾け凹部７７０は、前後方向の幅Ｗ１１が最大外径硬貨の半径以上であり、且つ最小外径硬貨の外径よりも小さく構成されている。また、異物傾け凹部７７０の上下方向の深さは、約１ｍｍとなっている。
【０１７７】
このため紙幣入出金部７０５は、最小外径硬貨から最大外径硬貨までの外径を有する硬貨が異物ＦＯとしてシャッタ７８０に載置された場合、当該異物ＦＯの前端のみを異物傾け凹部７７０に落としつつ、後端を遮断部７８２から浮かすことができる。
【０１７８】
かかる構成において、異物ＦＯとして硬貨がシャッタ７８０の上面に載置され、当該シャッタ７８０が開放方向に移動すると、掬い部８８が異物ＦＯの後端に接することにより、当該異物ＦＯの開放方向への移動を規制する。
【０１７９】
このため異物ＦＯは、前端が異物傾け凹部７７０に落ちると共に異物移動防止部６３４によって前方への移動が規制されることにより、後端とシャッタ７８０との間に間隙ができるように全体が傾く。
【０１８０】
続いて化粧カバー６２６の掬い部８８は、異物ＦＯとシャッタ７８０との間に入り込み、異物ＦＯの後端を掬い上げる。
【０１８１】
その後は紙幣入出金部６０５（図２３及び図２４）と同様に、シャッタ７８０が開放方向へ移動し、異物移動防止部６３４により前方への移動が規制された異物ＦＯは、化粧カバー６２６の上へ移動する。
【０１８２】
このように紙幣入出金部７０５においては、シャッタ７８０の前端に異物傾け凹部７７０を設けると共に当該異物傾け凹部７７０から垂直に立設する異物移動防止部６３４を設けるようにした。
【０１８３】
これにより紙幣入出金部７０５は、異物ＦＯの後端とシャッタ７８０との間に間隙ができるように当該異物ＦＯを傾けることができるため、掬い部８８を異物ＦＯの下に潜り込ませやすくすることができる。
【０１８４】
かくして紙幣入出金部７０５は、異物ＦＯを確実に化粧カバー６２６の上面へ掬い上げることにより、より確実に異物ＦＯをシャッタ７８０の上面から除去することができる。
【０１８５】
その他第８の実施の形態による紙幣入出金部７０５は、第７の実施の形態による紙幣入出金部６０５とほぼ同様の作用効果を奏し得る。
【０１８６】
＜９．第９の実施の形態＞
図２１との対応部分に同一符号を付した図２７に示す第９の実施の形態による紙幣入出金部８０５は、第７の実施の形態による紙幣入出金部６０５と比べて、シャッタ８８０がシャッタ６８０と異なっているものの、それ以外は同様に構成されている。
【０１８７】
シャッタ８８０の遮断部８８２の上面には、前端における前後方向に所定の幅を空けて左端から右端に亘る部分を除いて、平面状でなる異物傾け凸部８７１が形成されている。
【０１８８】
このため遮断部８８２における前端には、左端から右端に亘って異物傾け凸部８７１よりも凹んだ凹部８７３が形成されている。
【０１８９】
凹部８７３は、異物傾け凹部７７０（図２５）と同様に、前後方向の幅Ｗ１２が、紙幣入出金機１０において取り扱われる硬貨のうち、最大外径硬貨の半径以上であり、且つ最小外径硬貨の外径よりも小さく構成されている。
【０１９０】
これにより紙幣入出金部８０５は、異物ＦＯの後端とシャッタ８８０との間に間隙ができるように当該異物ＦＯを傾けることができるため、掬い部８８を異物ＦＯの下に潜り込ませやすくすることができる。
【０１９１】
かくして紙幣入出金部８０５は、異物ＦＯを確実に化粧カバー６２６の上面へ掬い上げることにより、より確実に異物ＦＯをシャッタ８８０の上面から除去することができる。
【０１９２】
その他第９の実施の形態による紙幣入出金部８０５は、第８の実施の形態による紙幣入出金部７０５とほぼ同様の作用効果を奏し得る。
【０１９３】
＜１０．第１０の実施の形態＞
図２１との対応部分に同一符号を付した図２８に示す第１０の実施の形態による紙幣入出金部９０５は、第７の実施の形態による紙幣入出金部６０５と比べて、シャッタ９８０がシャッタ６８０と異なっているものの、それ以外は同様に構成されている。
【０１９４】
シャッタ９８０の遮断部９８２における前端には、前端に向かって下方へ傾斜する異物傾け傾斜部９７２が左端から右端に亘って形成されている。
【０１９５】
これにより紙幣入出金部９０５は、異物ＦＯの後端とシャッタ９８０との間に間隙ができるように当該異物ＦＯを傾けることができるため、掬い部８８を異物ＦＯの下に潜り込ませやすくすることができる。
【０１９６】
かくして紙幣入出金部９０５は、異物ＦＯを確実に化粧カバー６２６の上面へ掬い上げることにより、より確実に異物ＦＯをシャッタ９８０の上面から除去することができる。
【０１９７】
その他第１０の実施の形態による紙幣入出金部９０５は、第８の実施の形態による紙幣入出金部７０５とほぼ同様の作用効果を奏し得る。
【０１９８】
＜１１．第１１の実施の形態＞
図２５との対応部分に同一符号を付した図２９に示す第１１の実施の形態による紙幣入出金部１００５は、第８の実施の形態による紙幣入出金部７０５と比べて、シャッタ１０８０がシャッタ７８０と異なっているものの、それ以外は同様に構成されている。
【０１９９】
シャッタ１０８０の前端部８６において化粧カバー６２６の下側面と対向する上面には、金属製の薄い板状でなる異物返し部１０７４が、異物移動防止部６３４の後側面よりも後側に突出するように、左端から右端に亘って固定されている。
【０２００】
かかる構成において、異物ＦＯとして硬貨がシャッタ１０８０の上面に載置され、シャッタ１０８０が開放方向に移動すると、掬い部８８が異物ＦＯの後端に接することにより、当該異物ＦＯの開放方向への移動を規制する。
【０２０１】
続いて異物ＦＯは、前端が異物傾け凹部７７０に落ちると共に異物移動防止部６３４により前方への移動が規制され、後端とシャッタ１０８０との間に間隙ができるように全体が傾く。
【０２０２】
化粧カバー６２６の掬い部８８は、異物ＦＯとシャッタ１０８０との間に入り込み、異物ＦＯの後端を掬い上げる。
【０２０３】
このとき異物ＦＯは、図３０に示すように異物返し部１０７４に接触し、上方への移動が規制され、化粧カバー６２６に乗り上げる。
【０２０４】
このように紙幣入出金部１００５は、異物返し部１０７４を設けることにより、異物ＦＯが異物移動防止部６３４と前端部８６とを乗り越えて紙幣収容部２３に落下してしまうことを防止できる。
【０２０５】
かくして紙幣入出金部１００５は、異物ＦＯを確実に化粧カバー６２６の上面へ掬い上げることにより、より確実に異物ＦＯをシャッタ１０８０の上面から除去することができる。
【０２０６】
その他第１１の実施の形態による紙幣入出金部１００５は、第８の実施の形態による紙幣入出金部７０５とほぼ同様の作用効果を奏し得る。
【０２０７】
＜１２．第１２の実施の形態＞
図２９との対応部分に同一符号を付した図３１に示す第１２の実施の形態による紙幣入出金部１１０５は、第１１の実施の形態による紙幣入出金部１００５と比べて、化粧カバー１１２６が化粧カバー６２６と異なっているものの、それ以外は同様に構成されている。
【０２０８】
化粧カバー１１２６の掬い部８８においてシャッタ１０８０と対向する下面には、例えばマイラー（登録商標）フィルム等の樹脂フィルムでなり当該掬い部８８よりも十分に薄い板状でなる異物掬いシート１１７８が、当該掬い部８８の前端よりも前方に突出するように、左端から右端に亘って例えば両面テープにより固定されている。また、異物掬いシート１１７８の前端は、シャッタ１０８０の遮断部７８２の上面と接触している。
【０２０９】
かかる構成において、異物ＦＯとして硬貨がシャッタ１０８０の上面に載置され、シャッタ１０８０が開放方向に移動すると、異物掬いシート１１７８が、掬い部８８よりも先に異物ＦＯとシャッタ１０８０との間に潜り込みつつ、当該掬い部８８が異物ＦＯの後端に接することにより、当該異物ＦＯの開放方向への移動を規制する。
【０２１０】
続いて掬い部８８が、異物傾け凹部７７０に前端が落ちて傾いた異物ＦＯを掬い上げる。
【０２１１】
このとき異物ＦＯは、異物返し部１０７４に接触し、上方への移動が規制され、化粧カバー１１２６に乗り上げる。
【０２１２】
このように紙幣入出金部１１０５は、掬い部８８よりも十分に薄い異物掬いシート１１７８を、シャッタ１０８０の遮断部７８２の上面に対し摺動させつつ、掬い部８８よりも先に異物ＦＯに接触させるようにした。
【０２１３】
このため紙幣入出金部１１０５は、異物ＦＯを確実に掬い部８８の上面へ掬い上げることにより、より確実に異物ＦＯを化粧カバー１１６２の上面に移動させることができる。
【０２１４】
また紙幣入出金部１１０５においては、金属製の遮断部７８２よりも十分に柔らかい材質である樹脂フィルムを異物掬いシート１１７８として用いるようにした。これにより異物掬いシート１１７８は、遮断部７８２を徐々に削ってしまうことがない。
【０２１５】
一方異物掬いシート１１７８は徐々に削れていくが、当該異物掬いシート１１７８は掬い部８８に両面テープで接着されているだけであるため、作業者が容易に交換できる。
【０２１６】
また異物掬いシート１１７８は、異物ＦＯである硬貨よりも十分に柔らかい材質であり、薄く形成されているため、当該硬貨の下に容易に潜り込むことができる。
【０２１７】
その他第１２の実施の形態による紙幣入出金部１１０５は、第１１の実施の形態による紙幣入出金部１００５とほぼ同様の作用効果を奏し得る。
【０２１８】
＜１３．他の実施の形態＞
なお上述した実施の形態においては、水平方向に延びる化粧カバー２６、６２６及び１１２６の下方において、前後方向にスライドして移動するシャッタについて述べた。
【０２１９】
本発明はこれに限らず、鉛直方向に延びる化粧カバーの後方において、上下方向に移動するシャッタや、水平方向から鉛直方向にやや傾斜した方向に延びる化粧カバーの下方において、当該化粧カバーの傾斜に対応して移動するシャッタに対して本発明を適用しても良い。
【０２２０】
また上述した実施の形態においては、全体として平面形状に形成された平面シャッタについて述べたが、本発明はこれに限らず、例えば湾曲した曲面形状の板状部材でなる曲面シャッタと当該曲面シャッタの曲面形状に対応した化粧カバー等、種々の形状でなる板状シャッタ及び化粧カバーに対し本発明を適用しても良い。
【０２２１】
さらに上述した実施の形態においては、下遮断部の後端又は遮断部の前端から異物移動防止部を当該下遮断部又は遮断部に対し垂直に立設する場合について述べた。
【０２２２】
本発明はこれに限らず、下遮断部又は遮断部に対し垂直からやや後方又は前方に傾けて立設しても良い。要は、異物ＦＯの移動を規制することができる程度に異物移動防止部が形成されていれば良い。
【０２２３】
さらに上述した実施の形態においては、異物傾け凹部７０及び凹部７３の幅を最大外径硬貨の半径以上であり、且つ最小外径硬貨の外径よりも小さく構成する場合について述べた。本発明はこれに限らず、要は異物ＦＯ紙幣が傾く形状及びサイズであれば良い。
【０２２４】
さらに上述した実施の形態においては、顧客が入金する紙幣が投入されると共に、顧客へ出金する紙幣が排出される紙幣入出金部に本発明を適用する場合について述べた。
【０２２５】
本発明はこれに限らず、例えば顧客が入金する硬貨が投入されると共に、顧客へ出金する硬貨が排出される硬貨入出金部に本発明を適用し、異物としてクリップ等の形状に対応させたサイズ、形状でなる掬い部及び異物移動防止部を形成すれば良い。
【０２２６】
さらに上述した第６及び第１２の実施の形態においては、異物掬いシート７８及び１１７８をマイラー（登録商標）フィルムとする場合について述べたが、本発明はこれに限らず、ある程度の強度を有し、薄く形成され金属板を傷つけにくい素材であれば、種々の他の素材でも良い。
【０２２７】
さらに上述した実施の形態においては、シャッタモータ４６の回転駆動力を前後方向に移動する駆動力に変換してシャッタ部を駆動する場合について述べたが、本発明はこれに限らず、種々の駆動方法によりシャッタ部を駆動して良い。
【０２２８】
さらに上述した第１乃至第４の実施の形態による紙幣入出金部５、１０５、２０５及び３０５において、第５の実施の形態による紙幣入出金部４０５における異物返し部７４を設けても良い。
【０２２９】
さらに上述した第７乃至第１０の実施の形態による紙幣入出金部６０５、７０５、８０５及び９０５において、第１１の実施の形態による紙幣入出金部１００５における異物返し部１０７４を設けても良い。
【０２３０】
さらに上述した第１乃至第４の実施の形態による紙幣入出金部５、１０５、２０５及び３０５において、第６の実施の形態による紙幣入出金部５０５における異物掬いシート７８を設けても良い。異物掬いシート７８は薄く形成されているため、仮に異物ＦＯが傾いていない状態であっても、当該異物ＦＯの下に入り込むことができる。
【０２３１】
さらに上述した第７乃至第１０の実施の形態による紙幣入出金部６０５、７０５、８０５及び９０５において、第１２の実施の形態による紙幣入出金部１１０５における異物掬いシート１１７８を設けても良い。異物掬いシート１１７８は薄く形成されているため、仮に異物ＦＯが傾いていない状態であっても、当該異物ＦＯの下に入り込むことができる。
【０２３２】
さらに上述した実施の形態においては、媒体として紙幣について述べたが、本発明はこれに限らず、例えば商品券や金券、入場券等のような薄い紙状の媒体を搬送処理及び収納処理等の各処理を行う種々の装置に適用するようにしても良い。
【０２３３】
さらに上述した実施の形態においては、内側板状部材としての下部シャッタ３０、１３０、２３０、３３０、４３０、シャッタ６８０、７８０、８８０及び９８０と、外側板状部材としての上部シャッタ２８、５２８、化粧カバー６２６及び１１２６とによって媒体入出部としての紙幣入出金部５、１０５、２０５、３０５、４０５、５０５、６０５、７０５、８０５、９０５、１００５及び１１０５を構成する場合について述べた。
【０２３４】
しかしながら本発明はこれに限らず、その他種々の構成でなる内側板状部材と外側板状部材とによって媒体入出部を構成するようにしても良い。
【０２３５】
さらに上述した実施の形態においては、内側板状部材としての下部シャッタ３０、１３０、２３０、３３０、４３０、シャッタ６８０、７８０、８８０及び９８０と、外側板状部材としての上部シャッタ２８、５２８、化粧カバー６２６及び１１２６と、搬送部としての搬送部１３とによって媒体取引装置としての現金自動預払機１を構成する場合について述べた。
【０２３６】
しかしながら本発明はこれに限らず、その他種々の構成でなる内側板状部材と、外側板状部材と、搬送部とによって媒体取引装置を構成するようにしても良い。
【産業上の利用可能性】
【０２３７】
本発明は、現金自動預払機等に設けられ顧客が入金する紙幣が投入されると共に、顧客へ出金する紙幣が排出される紙幣入出金部等に利用できる。
【符号の説明】
【０２３８】
１……現金自動預払機、２……筐体、３……接客部、４……カード入出口、５、１０５、２０５、３０５、４０５、５０５、６０５、７０５、８０５、９０５、１００５、１１０５……紙幣入出金部、６……操作表示部、７……テンキー、８……レシート発行口、９……主制御部、９Ａ……記憶部、１０……紙幣入出金機、１１……紙幣制御部、１１Ａ……記憶部、１３……搬送部、１４……鑑別部、１５……一時保留部、１６……リジェクト庫、１７……紙幣カセット、１８……回収庫、１９……返却口、２０……入出金口、２２……シャッタ部、２３……紙幣収容部、２４……異物搬送路、２６、６２６、１１２６……化粧カバー、２８、５２８……上部シャッタ、３０、１３０、２３０、３３０、４３０……下部シャッタ、３２、１３２、２３２、３３２……下遮断部、３４、６３４……異物移動防止部、３６……後端部、３８……上遮断部、４０……掬い部、４２……異物除去部、４４……フレーム、４６……シャッタモータ、４８……モータギア、５０……アイドルギア、５２……カムギア、５４……ピニオンギア、５８……ラックギア、６０……溝部、６２……摺動軸、６４……突当部、６６……シャフト、６８……シャフト摺動部、７０、７７０……異物傾け凹部、７１、８７１……異物傾け凸部、７２、９７２……異物傾け傾斜部、７３、８７３……凹部、７４、１０７４……異物返し部、７８、１１７８……異物掬いシート、８２、７８２……遮断部、８６……前端部、８８……掬い部、６８０、７８０、８８０、９８０、１０８０……シャッタ、ＦＯ……異物。
【図１】
0005928143.tif 000002
【図２】
0005928143.tif 000003
【図３】
0005928143.tif 000004
【図４】
0005928143.tif 000005
【図５】
0005928143.tif 000006
【図６】
0005928143.tif 000007
【図７】
0005928143.tif 000008
【図８】
0005928143.tif 000009
【図９】
0005928143.tif 000010
【図１０】
0005928143.tif 000011
【図１１】
0005928143.tif 000012
【図１２】
0005928143.tif 000013
【図１３】
0005928143.tif 000014
【図１４】
0005928143.tif 000015
【図１５】
0005928143.tif 000016
【図１６】
0005928143.tif 000017
【図１７】
0005928143.tif 000018
【図１８】
0005928143.tif 000019
【図１９】
0005928143.tif 000020
【図２０】
0005928143.tif 000021
【図２１】
0005928143.tif 000022
【図２２】
0005928143.tif 000023
【図２３】
0005928143.tif 000024
【図２４】
0005928143.tif 000025
【図２５】
0005928143.tif 000026
【図２６】
0005928143.tif 000027
【図２７】
0005928143.tif 000028
【図２８】
0005928143.tif 000029
【図２９】
0005928143.tif 000030
【図３０】
0005928143.tif 000031
【図３１】
0005928143.tif 000032
【図３２】
0005928143.tif 000033